【事件の表示】
　特願２００２−　８２８３３「音楽作品提供装置」拒絶査定不服審判事件〔平成１５年１０月　２日出願公開、特開２００３−２８０６６９〕について、次のとおり審決する。
【結　論】
　本件審判の請求は、成り立たない。
【理　由】
１．手続の経緯
　本願は、平成１４年３月２５日の出願であって、平成１９年６月２９日付けで拒絶査定がなされ、これに対し、平成１９年８月２日に拒絶査定に対する審判請求がなされるとともに、同年８月３１日付けで手続補正がなされたものである。
　
２．平成１９年８月３１日付けの手続補正についての補正却下の決定
[補正却下の決定の結論]
　平成１９年８月３１日付けの手続補正を却下する。
[理由]
（１）補正後の本願発明
　本件補正により、特許請求の範囲の請求項１は、
「サーバに登録された音楽作品のうちの鑑賞要求のあった所定の音楽作品を要求元の端末装置に提供する音楽作品提供装置であって、
　前記サーバに登録された音楽作品のうちから鑑賞要求のあった音楽作品を要求元の端末装置へ提供する音楽作品提供手段と、
　前記サーバに登録された音楽作品を前記鑑賞要求の回数に基づいて評価付けを行う音楽作品評価手段と、
　前記サーバに登録された複数の音楽作品のうちから、前記音楽作品評価手段における評価結果に基づいて上位にランキングされた音楽作品のランキングリストを、該ランキングリストの閲覧を要求する端末装置へ送信するランキングリスト送信手段と、
　前記音楽作品評価手段により評価された音楽作品のうちの所定順位以上に位置する上位の音楽作品の演奏データを、カラオケ端末装置へ配信する音楽作品配信手段とを、含
み、
　
前記端末装置から応募してきた音楽作品を前記サーバに登録する登録手段と、
　
応募してきた端末装置に対して課金を行うとともに、前記音楽作品評価手段の評価が高くなるほど課金する金額を減額する課金手段とを、
　
さらに含むことを特徴とする音楽作品提供装置
　上記補正は実質的に、補正前の請求項４に記載した発明を特定するために必要な事項について限定を付加するものであって、平成１８年法律第５５号改正附則第３条第１項によりなお従前の例によるとされる同法による改正前特許法（以下、「平成１８年改正前特許法」という）第１７条の２第４項第２号の特許請求の範囲の減縮を目的とするものに該当する。
　そこで、本件補正後の前記請求項１に記載された発明（以下、「本願補正発明」という）が特許出願の際独立して特許を受けることができるものであるか（平成１８年改正前特許法第１７条の２第５項において準用する同法第１２６条第５項の規定に適合するか）について以下に検討する。
　
（２）刊行物
　原審拒絶理由で引用された、本願の出願日前である平成９年６月３０日に頒布された「特開平９−１７１５０４号公報」（以下、「刊行物１」という）は、「情報処理装置および情報処理方法」に関するものであって、その公報には次の事項が記載されている。
（ア）「図１は、本発明を適用したネットワークシステムの一実施例の構成を示している。ユーザは、パーソナルコンピュータ（以下、適宜、パソコンという）１を有し、例えばＰＳＴＮ（Public Switched Telephone Network）やＩＳＤＮ（Integrated Service Digital Network）などの公衆網２、あるいは図示せぬ専用線を介して、サービスプロバイダ（接続業者）が有するＳＰ（Service Provider）サーバ３に接続されている。図示していないが、他のユーザのパソコンも同様にして、ＳＰサーバ３に接続されている。ＳＰサーバ３は、インターネット４に接続されており、インターネット４には、さらに、インフォメーションプロバイダ（情報提供者）が有するＩＰ（Information Provider）サーバ５も接続されている。インターネット４においては、ＴＣＰ／ＩＰ（Transmission Control Protocol/Internet Protocol）と呼ばれるプロトコルにしたがって、コンピュータ相互間で通信を行うようになされている。
また、インターネット４上には、ＷＷＷが構築されており、このＷＷＷでは、ＨＴＴＰ（Hyper Text Transfer Protocol）と呼ばれるプロトコルにより、データの転送を行い、ＨＴＭＬ（Hyper Text Markup Language）で画面を記述することにより、情報の検索や表示を、簡単に行うことができるようになされている。（中略）各ユーザは、ＷＷＷブラウザを用いてＷＷＷサーバにアクセスし、情報やサービスの提供を受けることができる。また、各インフォメーションプロバイダ（情報提供者）は、ＷＷＷサーバを用いて、ＷＷＷブラウザに情報やサービスを提供することができる。
（中略）
ところで、図１においては、パソコン１の他、例えばゲーム端末６、電話機７、携帯電話機８、ファクシミリ（以下、適宜、ＦＡＸという）９，ＡＶ（Audio/Visual）機器１０なども公衆網２を介して、ＳＰサーバ３にアクセスすることができるようになされており、これにより、これらの端末を用いても、情報やサービスの提供を受けることができるようになされている。（中略）
この場合、パソコン１、ゲーム端末６、またはＡＶ機器１０と、電話機７または携帯電話機８との間で、電子メールの送受信を行うためには、音声データを、通常の電子メールのデータに変換するとともに、その逆の変換も行う必要があり、パソコン１、ゲーム端末６、またはＡＶ機器１０と、ＦＡＸ９との間でも、イメージのデータの変換と、通常の電子メールのデータの変換との双方の変換が必要となる。さらに、電話機７または携帯電話機８と、ＦＡＸ９との間では、イメージのデータと音声データとの間の変換が必要となる。これらの変換は、ＳＰサーバ３によって行われるようになされている。」（３頁段落【００１４】ないし【００１９】、図１）
（イ）「この場合、ＩＰサーバ５からパソコン１には、書籍を購入するのに必要な情報を入力するためのホームページのデータや、購入を確認するためのホームページのデータなどが送信される。ユーザは、そのようなホームページを見て、必要な情報の入力などを行うことで、書籍の注文を行う。一方、ＩＰサーバ５側では、ユーザからの書籍の注文を受けると、書店などに、例えばＦＡＸや、電子メールなどで、その書籍の発注書が送信される。これにより、書店からユーザには、後日、注文した書籍が郵送などされ、また、ユーザの銀行口座などから、その代金の自動引き落としがなされる。」（６頁段落【００５３】）
（ウ）「なお、この「ＧＲＯＯＶＥ ＰＲＥＳＳ」においては、ユーザから応募のあった曲を、他のユーザによる評価の対象とし、これにより、ユーザに、図１６および図１７で説明したようにして、応募のあった曲に対する評価を投票させるサービスや、その投票結果に基づいた対象物の順位を、図１８および図１９で説明したようにしてユーザに提示するサービスなども提供されるようになされている。
次に、本発明のポイントである、ユーザが、図１６および図１７で説明したようにして、例えば曲（ＣＤ）などの評価の対象物に対する評価を投票し、その投票結果に基づいた対象物の順位を、図１８および図１９で説明したようにしてユーザに提示する方法について、さらに説明する。
まず、図２６のフローチャートを参照して、ユーザが評価の対象となる対象物に対する評価を投票する場合のパソコン１の操作手順について説明する。なお、ここでは、例えば図２２乃至図２５を参照して説明したアマチュアミュージシャンのための広場「ＧＲＯＯＶＥ ＰＲＥＳＳ」において応募されたユーザの音楽作品（曲）（以下、適宜、応募作品という）を評価の対象とした場合について説明する。
この場合、各ユーザは、自身が制作した曲を、広場「ＧＲＯＯＶＥ ＰＲＥＳＳ」においてオンラインで、ＩＰサーバ５に送信したり、あるいは、ビデオテープや、音楽用の磁気テープ、または光磁気ディスクなどに記録して、情報提供者（ＩＰサーバ５）に郵送するなどして応募する。
なお、作品の応募をオンラインで行う場合は、図２５のホームページが表示されている状態において、「作品の応募」の部分をクリックすると、これに対応して、ＩＰサーバ５からパソコン１に対し、応募のための必要事項を入力するためのホームページが送信されてくるので、ユーザは、それに必要事項を入力することで、作品の応募を行う。
ここで、図２７は、作品をオンラインで応募する場合に、ＩＰサーバ５から送信されてくるホームページを示している。作品の応募を行うユーザは、このようなホームページに、応募する作品としての曲の曲目、その曲の作曲者名、作詞者、演奏時間、後述する図３２で説明するランキング表にランキングされた場合にダイジェスト版に使用する部分、ユーザがバンドを組んでいるのかまたはソロなのか、バンド名、ソロ名、応募する曲のジャンル、入会手続を行ったときに与えられたユーザＩＤ、応募する曲の紹介文、応募する曲に関する著作権の管理の委任を入力し、画面下部にある「登録する」ボタンを操作する。これにより、作品は、これらの入力事項とともに、電子的なファイルの形で、ＩＰサーバ５に送信される。
（中略）
ＩＰサーバ５では、作品の応募があると、その応募作品を紹介するホームページ（以下、適宜、作品画面という）が生成され、応募作品と関連付けられて記憶される。
なお、この場合の応募作品は曲であるから、基本的には、応募作品はオーディオデータの形で記憶される。但し、作品の応募は、曲だけでなく、例えば演奏をしているシーンを撮影した映像も含めて行うことができる。この場合、その映像は、ビデオデータとして、オーディオデータとともに、作品画面と対応付けられて記憶される。
以上のようにして応募された作品に対する評価を投票しようとするユーザは、パソコン１を操作することで、上述したようにして広場「ＧＲＯＯＶＥ ＰＲＥＳＳ」に入り、ステップＳ１において、作品画面にアクセスする。
（中略）
さらに、「作品紹介」の上部には、「◆ＡＵＤＩＯ ＤＡＴＡ」および「◆動画像ＤＡＴＡ」の表示が配置されている。この「◆ＡＵＤＩＯ ＤＡＴＡ」または「◆動画像ＤＡＴＡ」は、ＩＰサーバ５において、その作品のオーディオデータまたはビデオデータが作品画面に対応付けられて記憶されている場合にそれぞれ表示されるようになされており、従って、図２８の作品画面が紹介する作品については、その作品を聞いたり、あるいは見たりすることができるようになされている。
即ち、「◆ＡＵＤＩＯ ＤＡＴＡ」の部分がクリックされると、ＩＰサーバ５からパソコン１に対しては、作品画面に対応付けられたオーディオデータが送信され、これにより、そのオーディオデータに対応する曲が、図示せぬスピーカから出力される。また、「◆動画像ＤＡＴＡ」の部分がクリックされると、ＩＰサーバ５からパソコン１に対しては、作品画面に対応付けられたビデオデータが送信され、これにより、ディスプレイ１９に、そのビデオデータに対応する映像（上述したように、演奏風景など）が表示される。
作品画面には、さらに、「写真」および「作品紹介」の下部に、この作品に対する評価を投票するための「この作品に対するあなたの評価は？」の欄が設けられている。この欄は、図１７で説明した場合と同様に、作品に対する評価を、１乃至５のいずれかの点数でつけることができるようになされている。即ち、ユーザは、この欄の１乃至５の部分のうちのいずれかをクリックすることで、作品に対する評価を入力することができるようになされている。なお、図２８の実施例では、４点がクリックされている。
「この作品に対するあなたの評価は？」の欄の下部には、「投票する」ボタンが設けられている。「この作品に対するあなたの評価は？」の欄をクリックすることによりつけられた点数（以下、適宜、評価点という）は、この「投票する」ボタンをクリックすることで投票される（ＩＰサーバ５に送信される）ようになされている。
（中略）ここで、作品画面は、実際には、例えば図２９に示すように構成される。この実施例では、作品画面の上部には、曲目、バンド名（アーティスト名（ＡＲＴＩＳＴ））、作詞者、作曲者、曲のジャンルが表示され、その下部には、図１６で説明した音符を型どったアイコンと同様のアイコンが表示されている。このアイコンがクリックされた場合には、図１６で説明した場合と同様にして、曲を聴くことができるようになされている。但し、図１６における場合は、複数の曲の一部をつなぎあわせたダイジェストであったが、図２９における場合には、曲目の欄に表示されている応募作品（曲）「ＩＮ ＮＹ ＬＩＦＥ」をすべて聴くことができるようになされている。
さらに、その下部には、図２８で説明した場合と同様に、「この作品に対するあなたの評価は？」の欄と、「投票する」ボタンが設けられている。
（中略）
また、この実施例においては、「この作品に対するあなたの評価は？」の欄および「投票する」ボタンの下部には、例えば図１２に示した場合と同様に、「いいたい放題もの申す！」ボタン、および「いいたい放題」の欄が設けられている。従って、この場合、ユーザは、「いいたい放題もの申す！」ボタンを操作することで、上述した場合と同様にして、応募作品に対する感想などの投稿を行うことができる。なお、このようにして投稿があった場合、その投稿の内容は、やはり、「いいたい放題」の欄に反映される。また、図１２および図１３で説明した場合と同様に、この欄のより詳細な記述がなされたホームページは、所望する欄をクリックすることで表示されるようになされている。図２９の「いいたい放題」の欄がクリックされた場合に表示されるホームページの例を、図３０に示す。
なお、図２９および図３０の下部には、「戻る」ボタンが表示されているが、このボタンが操作された場合には、１つ前のホームページに戻るようになされている。
以上のような作品画面が表示された後、その作品に対する評価点を投票しようとするユーザは、ステップＳ２において、「この作品に対するあなたの評価は？」の欄の、自身の評価に対応する評価点をクリックすることにより選択する。そして、ステップＳ３において、「投票する」ボタンをクリックする。これにより、ステップＳ２で選択された評価点は、パソコン１からＩＰサーバ５に送信される。
ＩＰサーバ５では、以上のようにして各ユーザから送信されてくる評価点が、作品ごとに集計され、その集計値に基づいて、作品の順位が決定される。そして、この順位の決定結果に基づいて、作品のランキング表が表示されたホームページが生成（既に生成されている場合には更新）される。
（中略）
この場合、ユーザは、各ユーザがどの作品を高く評価しているのかを、容易に認識することができる。即ち、従来においては、このようにユーザが応募してきた作品のランク付けは、通常は、情報提供者側で、何人かの審査員を用意し、その審査員によって行われる。従って、そのようにして得られるランキング表というのは、審査員の評価の結果であって、一般ユーザの意見が反映されたものではない。これに対して、上述したようにして得られるランキング表は、一般ユーザの意見が反映されたものであり、従って、この場合、ユーザは、他のユーザが、応募作品をどのように評価しているのかを知ることができる。
（中略）
なお、図３１においては、応募作品のランキング表が表示されたホームページを模式的に示したが、このホームページは、実際には、例えば図３２などに示すように構成される。即ち、図３２の実施例では、１乃至１０位のランキング表が、順位、図３１の「応募作品名」に対応する曲目、バンド名、図３１の「ポイント数」に対応するｐｏｉｎｔから構成されている。各順位の欄（行）には、その順位の作品についての作品画面（図２８や図２９）とリンクが張られており、従って、ユーザは、所望する作品の欄をクリックすることで、その作品画面（図２８や図２９）を、上述したようにしてパソコン１のディスプレイ１９に表示させ、さらに、その「◆ＡＵＤＩＯ ＤＡＴＡ」（中略）の部分をクリックすることで、その作品を聞いたり（中略）することができる。
（中略）
次に、図３３は、以上のようなサービスを提供するＩＰサーバ５を機能的に表したブロック図である。作品記憶部４０には、ユーザから応募されてきた作品に対応するビデオデータやオーディオデータが記憶されるようになされている。ホームページ記憶部４１には、図２８や図２９に示したような、応募されてきた作品を紹介する作品画面のホームページや、図３１あるいは図３２に示したようなランキング表が表示されたホームページが記憶されている。さらに、ホームページ記憶部４１には、その他の上述したようなホームページも記憶されている。
なお、作品記憶部４０においては、ビデオデータやオーディオデータが、それに対応する、ホームページ記憶部４１に記憶された作品画面と対応付けられて記憶されている。
ポイント記憶部４２は、パソコン１から送信されてくる、上述した評価点その他の各作品を評価するための評価情報を記憶するようになされている。読み出し部４３は、パソコン１からの要求に対応したホームページ（例えば、作品画面（対象情報）や、ランキング表が表示されたホームページなど）をホームページ記憶部４１から読み出し、通信制御部４６を介してパソコン１に送信するようになされており、これにより、そのホームページをユーザに提示するようになされている。さらに、読み出し部４３は、上述したようにしてパソコン１から作品に対応するオーディオデータやビデオデータの要求があった場合、そのオーディオデータやビデオデータを、作品記憶部４０から読み出し、通信制御部４６を介して、パソコン１に送信するようになされている。
順位決定部４４は、ポイント記憶部４２に記憶された評価情報に基づいて、作品の順位を決定し、その決定結果を、ホームページ記憶部４１に記憶されているランキング表が表示されたホームページに反映するようになされている。ポイント書き込み部４５は、パソコン１から送信され、通信制御部４６で受信される、ユーザから投票された評価点を、各作品ごとに集計し、ポイント記憶部４２に書き込むようになされている。さらに、ポイント書き込み部４５は、通信制御部４６を監視し、各作品の作品画面に対して、ユーザからアクセスがあった回数（アクセス回数）を、各作品を評価するための評価情報の１つとしてカウントし、各作品ごとのアクセス回数を、ポイント記憶部４２に書き込むようにもなされている。
通信制御部４６は、読み出し部４３が出力するデータを、インターネット４に送信し、また、インターネット４を介して送信されてくるデータ（例えば、ホームページの要求や、評価点など）を受信し、読み出し部４３またはポイント書き込み部４５に出力するようになされている。
なお、以上のように構成されるＩＰサーバ５のうち、作品記憶部４０、ホームページ記憶部４１、およびポイント記憶部４２は図３のハードディスク２５（または光磁気ディスク２６）に、読み出し部４３、順位決定部４４、およびポイント書き込み部４５は図３のＣＰＵ２１に、通信制御部４６は図３の通信部２７に、それぞれ対応する。
次に、図３４のフローチャートを参照して、その動作について説明する。なお、既に、ホームページ記憶部４１には、応募作品に対応する作品画面（ホームページ）が作成されて記憶され、作品記憶部４０には、ホームページ記憶部４１に記憶されている作品画面に対応する応募作品のオーディオデータまたはビデオデータが、その作品画面と関連付けられて記憶されているものとする。
また、この実施例では、上述したユーザからの評価点だけでなく、作品画面へのユーザのアクセス回数（アクセス数）にも基づいて、各作品の順位が決定されるようになされている。
ＩＰサーバ５では、まず最初に、ステップＳ１１において、ポイント記憶部４２の記憶内容が、ポイント書き込み部４５によってクリアされる。即ち、ステップＳ１１では、各作品の作品画面へのアクセス数がセットされる変数Ａ（ｉ）および各作品に対する評価点の集計値がセットされる変数Ｂ（ｉ）が、例えば０に初期化される。なお、変数Ａ（ｉ）およびＢ（ｉ）の引数ｉは、各作品を識別するものであり、従って、変数Ａ（ｉ）またはＢ（ｉ）には、作品＃ｉについての作品画面へのアクセス数または作品＃ｉについて投票された評価点が、それぞれ記憶される。
その後、ステップＳ１２に進み、パソコン１から、作品画面に対するアクセスの要求があったか否かが、読み出し部４３によって判定される。ステップＳ１２において、作品画面に対するアクセスの要求がなかったと判定された場合、ステップＳ１３に進み、その他の処理が行われる。即ち、例えば図３１または図３２に示したようなランキング表が表示されたホームページの要求があった場合には、読み出し部４３において、そのホームページが、ホームページ記憶部４１から読み出され、通信制御部４６を介して、パソコン１に送信される。あるいは、例えばパソコン１からオーディオデータまたはビデオデータの要求があった場合には、読み出し部４３において、そのオーディオデータまたはビデオデータが読み出され、やはり、通信制御部４６を介して、パソコン１に送信される。ステップＳ１３において、以上のような処理がなされた後、再び、ステップＳ１２に戻る。」（９頁段落【００７９】ないし１３頁段落【０１１９】）
（エ）「以上のようにして、ＩＰサーバ５では、各作品に対するアクセス数（作品に対するアクセスは、ユーザの意志によって行われるから、このアクセス数も、作品に対するユーザの評価ということができる）と、ユーザから投票される評価点とから、各作品の順位が決定され、それが、ランキング表に反映される。
以上においては、パソコン１によって、作品（作品画面）にアクセスし、その作品に対する評価を行うようにしたが、これは、パソコン１以外の、例えばゲーム端末６や、ＡＶ機器１０などによって行うことも可能である。さらに、電話機７（または携帯電話機８）や、ＦＡＸ９によって行うことも可能である。」（１３頁段落【０１２５】ないし【０１２６】）
（オ）上記２（２）（ア）（ウ）（エ）によれば、刊行物１には、以下の発明（以下、「刊行物１発明」という）が記載されている。
「作品記憶部４０に、ユーザから応募されてきた作品に対応するビデオデータやオーディオデータが記憶されるようになされており、読み出し部４３が、パソコン１からの要求に対応したホームページ（例えば、作品画面（対象情報）や、ランキング表が表示されたホームページなど）をホームページ記憶部４１から読み出し、通信制御部４６を介してパソコン１に送信するようになされており、これにより、そのホームページをユーザに提示するようになされており、さらに、読み出し部４３は、上述したようにしてパソコン１から作品に対応するオーディオデータやビデオデータの要求があった場合、そのオーディオデータを、作品記憶部４０から読み出し、通信制御部４６を介して、パソコン１に送信するようになされており、
　順位決定部４４が、ポイント記憶部４２に記憶された評価情報に基づいて、作品の順位を決定し、その決定結果を、ホームページ記憶部４１に記憶されているランキング表が表示されたホームページに反映するようになされており、ポイント書き込み部４５が、パソコン１から送信され、通信制御部４６で受信される、ユーザから投票された評価点を、各作品ごとに集計し、ポイント記憶部４２に書き込むようになされており、さらに、ポイント書き込み部４５は、通信制御部４６を監視し、各作品の作品画面に対して、ユーザからアクセスがあった回数（アクセス回数）を、各作品を評価するための評価情報の１つとしてカウントし、各作品ごとのアクセス回数を、ポイント記憶部４２に書き込むようにもなされており、ユーザからの評価点だけでなく、作品画面へのユーザのアクセス回数（アクセス数）にも基づいて、各作品の順位が決定されるようになされており、
　ＩＰサーバ５では、まず最初に、ポイント記憶部４２の記憶内容が、ポイント書き込み部４５によってクリアされ、変数Ａ（ｉ）またはＢ（ｉ）に、作品＃ｉについての作品画面へのアクセス数または作品＃ｉについて投票された評価点が、それぞれ記憶され、パソコン１から、作品画面に対するアクセスの要求があったか否かが、読み出し部４３によって判定され、ランキング表が表示されたホームページの要求があった場合には、読み出し部４３において、そのホームページが、ホームページ記憶部４１から読み出され、通信制御部４６を介して、パソコン１に送信され、あるいは、例えばパソコン１からオーディオデータまたはビデオデータの要求があった場合には、読み出し部４３において、そのオーディオデータまたはビデオデータが読み出され、やはり、通信制御部４６を介して、パソコン１に送信され、
　作品（作品画面）にアクセスし、その作品に対する評価を行うようにしたが、これは、パソコン１以外の、例えばゲーム端末６や、ＡＶ機器１０などによって行うことも可能であり、
　各ユーザが、自身が制作した曲を、広場「ＧＲＯＯＶＥ ＰＲＥＳＳ」においてオンラインで、ＩＰサーバ５に送信したり、あるいは、ビデオテープや、音楽用の磁気テープ、または光磁気ディスクなどに記録して、情報提供者（ＩＰサーバ５）に郵送するなどして応募するものであり、ＩＰサーバ５では、作品の応募があると、その応募作品を紹介するホームページが生成される
　情報処理装置」
　　
（３）対比・判断
ア　本願補正発明と刊行物１発明との対比
　本願補正発明と刊行物１発明を対比すると、
（ア）刊行物１発明は、作品記憶部４０に、ユーザから応募されてきた作品に対応するビデオデータやオーディオデータが記憶されるようになされており、読み出し部４３が、パソコン１からの要求に対応したホームページ（例えば、作品画面（対象情報）や、ランキング表が表示されたホームページなど）をホームページ記憶部４１から読み出し、通信制御部４６を介してパソコン１に送信するようになされており、これにより、そのホームページをユーザに提示するようになされており、さらに、読み出し部４３は、上述したようにしてパソコン１から作品に対応するオーディオデータやビデオデータの要求があった場合、そのオーディオデータを、作品記憶部４０から読み出し、通信制御部４６を介して、パソコン１に送信するようになされているから、本願補正発明と刊行物１発明とは、「サーバに登録された音楽作品のうちから鑑賞要求のあった音楽作品を要求元の端末装置へ提供する音楽作品提供手段」を含む点で一致している。
　刊行物１発明は、順位決定部４４が、ポイント記憶部４２に記憶された評価情報に基づいて、作品の順位を決定し、その決定結果を、ホームページ記憶部４１に記憶されているランキング表が表示されたホームページに反映するようになされており、ポイント書き込み部４５が、パソコン１から送信され、通信制御部４６で受信される、ユーザから投票された評価点を、各作品ごとに集計し、ポイント記憶部４２に書き込むようになされており、さらに、ポイント書き込み部４５は、通信制御部４６を監視し、各作品の作品画面に対して、ユーザからアクセスがあった回数（アクセス回数）を、各作品を評価するための評価情報の１つとしてカウントし、各作品ごとのアクセス回数を、ポイント記憶部４２に書き込むようにもなされており、ユーザからの評価点だけでなく、作品画面へのユーザのアクセス回数（アクセス数）にも基づいて、各作品の順位が決定されるようになされているから、本願補正発明と刊行物１発明とは、「サーバに登録された音楽作品を鑑賞要求の回数に基づいて評価付けを行う音楽作品評価手段」を含む点で一致している。
　刊行物１発明は、ＩＰサーバ５では、まず最初に、ポイント記憶部４２の記憶内容が、ポイント書き込み部４５によってクリアされ、変数Ａ（ｉ）またはＢ（ｉ）に、作品＃ｉについての作品画面へのアクセス数または作品＃ｉについて投票された評価点が、それぞれ記憶され、パソコン１から、作品画面に対するアクセスの要求があったか否かが、読み出し部４３によって判定され、ランキング表が表示されたホームページの要求があった場合には、読み出し部４３において、そのホームページが、ホームページ記憶部４１から読み出され、通信制御部４６を介して、パソコン１に送信され、あるいは、例えばパソコン１からオーディオデータまたはビデオデータの要求があった場合には、読み出し部４３において、そのオーディオデータまたはビデオデータが読み出され、やはり、通信制御部４６を介して、パソコン１に送信されるのであるから、本願補正発明と刊行物１発明とは、「サーバに登録された複数の音楽作品のうちから、音楽作品評価手段における評価結果に基づいて上位にランキングされた音楽作品のランキングリストを、該ランキングリストの閲覧を要求する端末装置へ送信するランキングリスト送信手段」及び「音楽作品評価手段により評価された音楽作品のうちの所定順位以上に位置する上位の音楽作品の演奏データを、端末装置へ配信する音楽作品配信手段」を含む点で一致している。
　刊行物１発明は、各ユーザが、自身が制作した曲を、広場「ＧＲＯＯＶＥ ＰＲＥＳＳ」においてオンラインで、ＩＰサーバ５に送信したり、あるいは、ビデオテープや、音楽用の磁気テープ、または光磁気ディスクなどに記録して、情報提供者（ＩＰサーバ５）に郵送するなどして応募するものであり、ＩＰサーバ５では、作品の応募があると、その応募作品を紹介するホームページ（以下、適宜、作品画面という）が生成され、応募作品と関連付けられて記憶され、この場合の応募作品は曲であるから、基本的には、応募作品はオーディオデータの形で記憶されるので、本願補正発明と刊行物１発明とは、「端末装置から応募してきた音楽作品をサーバに登録する登録手段」を含む点で一致している。
　そして、これらのことから、刊行物１発明の「情報処理装置」は、本願補正発明の「サーバに登録された音楽作品のうちの鑑賞要求のあった所定の音楽作品を要求元の端末装置に提供する音楽作品提供装置」に相当するといえる。
（イ）したがって、両者は
「サーバに登録された音楽作品のうちの鑑賞要求のあった所定の音楽作品を要求元の端末装置に提供する音楽作品提供装置であって、
　前記サーバに登録された音楽作品のうちから鑑賞要求のあった音楽作品を要求元の端末装置へ提供する音楽作品提供手段と、
　前記サーバに登録された音楽作品を前記鑑賞要求の回数に基づいて評価付けを行う音楽作品評価手段と、
　前記サーバに登録された複数の音楽作品のうちから、前記音楽作品評価手段における評価結果に基づいて上位にランキングされた音楽作品のランキングリストを、該ランキングリストの閲覧を要求する端末装置へ送信するランキングリスト送信手段と、
　前記音楽作品評価手段により評価された音楽作品のうちの所定順位以上に位置する上位の音楽作品の演奏データを、端末装置へ配信する音楽作品配信手段とを、含み、
　前記端末装置から応募してきた音楽作品を前記サーバに登録する登録手段とを、
　さらに含む音楽作品提供装置。」である点で一致し、次の点で相違しているものと認められる。
ａ　端末装置が、本願補正発明は、「カラオケ端末装置」であるのに対し、刊行物１発明は、ＡＶ機器である点。
ｂ　本願補正発明は、「応募してきた端末装置に対して課金を行うとともに、前記音楽作品評価手段の評価が高くなるほど課金する金額を減額する課金手段を含む」ものであるのに対し、刊行物１発明は、その点明らかでない点。
　　
イ　相違点についての検討
　相違点ａについて
　刊行物１のものは、音楽データをＡＶ機器である端末に配信するものであるところ、「カラオケ端末装置」は音楽データを扱うＡＶ機器である端末であり周知なものであるから、音楽データを扱うＡＶ機器である端末としてカラオケ端末装置を採用することは適宜なしうる。
　相違点ｂについて
　この点につき、請求人は回答書において「しかし、請求項１に係る発明では、音楽作品を応募してきた端末装置に対して課金を行うとともに、前記音楽作品評価手段の評価が高くなるほど課金する金額を減額する課金手段を設ける点で、相違します。このような相違点は、引用文献２乃至４には、全く記載されておりません。」と主張している。
　そこで検討すると、上記２（２）（イ）によれば、刊行物１には、ＩＰサーバ５からパソコン１に送信された、書籍を購入するのに必要な情報を入力するためのホームページのデータや、購入を確認するためのホームページのデータなどにより、書籍の注文を行い、書店からユーザには、後日、注文した書籍が郵送などされ、また、ユーザの銀行口座などから、その代金の自動引き落としがなされる点が記載され、注文及びそれによる料金徴収すなわち課金について示唆があるといえるところ、課金を選択回数に応じて結果的に割り引くようにすることは、例えば特開２００３−１４１４２１号公報（段落【００１８】参照）、特開平１１−２８８５５６号公報（段落【００９９】ないし【０１００】参照）に示唆されているように周知というべきものである。そして、選択回数が多くなるということは、鑑賞要求の回数に基づいて評価付けを行う場合の評価が高くなることと同様のことといえるから、「応募してきた端末装置に対して課金を行うとともに、前記音楽作品評価手段の評価が高くなるほど課金する金額を減額する課金手段を含む」ものとすることは、当業者にとって容易に推考できたものであり、また、上記相違点に基づく本願補正発明の効果に格別顕著なものがあるともいえない。
　そして、これら相違点を総合的に考慮しても当業者が推考し難い格別のものであるとすることはできず、また本願補正発明の効果についてみても、上記構成の採用に伴って当然に予測される程度のものにすぎず、格別顕著なものがあるともいえない。
　したがって、本願補正発明は、刊行物１発明及び周知技術に基づいて、当業者が容易に発明をすることができたものであるから、特許法第２９条第２項の規定により特許出願の際独立して特許を受けることができないものである。
　
（４）むすび
　以上のとおり、本件補正は、平成１８年改正前特許法第１７条の２第５項で準用する同法第１２６条第５項の規定に違反するものであり、特許法第１５９条第１項において読み替えて準用する特許法第５３条第１項の規定により却下されるべきものである。
　
３．本願発明について
　平成１９年８月３１日付けの手続補正は上記のとおり却下されたので、本願の請求項１ないし４に係る発明は、平成１９年４月１６日付け手続補正書において補正された明細書の特許請求の範囲の請求項１ないし４に記載された事項により特定されるものと認められ、請求項４に係る発明（以下、「本願発明」という）は以下のとおりのものである（請求項４は、請求項１ないし３のいずれかに従属するものであるところ、請求項１のみを併記する）。
「【請求項
１
　前記サーバに登録された音楽作品のうちから鑑賞要求のあった音楽作品を要求元の端末装置へ提供する音楽作品提供手段と、　
　前記サーバに登録された音楽作品を前記鑑賞要求の回数に基づいて評価付けを行う音楽作品評価手段と
、
　
前記サーバに登録された複数の音楽作品のうちから、前記音楽作品評価手段における評価結果に基づいて上位にランキングされた音楽作品のランキングリストを、該ランキングリストの閲覧を要求する端末装置へ送信するランキングリスト送信手段と、
　
前記音楽作品評価手段により評価された音楽作品のうちの所定順位以上に位置する上位の音楽作品の演奏データを、カラオケ端末装置へ配信する音楽作品配信手段と
　を、含むことを特徴とする音楽作品提供装置。
【請求項４】　前記端末装置から応募してきた音楽作品を前記サーバに登録する登録手段と、
　応募してきた端末装置に対して課金を行うとともに、前記音楽作品評価手段の評価に基づいて課金する金額を変更する課金手段と
　が、さらに含まれていることを特徴とする請求項１乃至３のいずれかの音楽作品提供装置
　
（１）刊行物
　原審拒絶理由に引用された刊行物、および、その記載事項は、前記「２．（２）」に記載したとおりである。
　
（２）対比・判断
　本願発明は、前記２．で検討した本願補正発明の限定事項である構成を省いたものである。
　そうすると、本願発明の特定事項を全て含み、さらに他の特定事項を付加したものに相当する本願補正発明が、前記「２．（３）」に記載したとおり、刊行物１発明及び周知技術に基づいて、当業者が容易に発明をすることができたものであるから、本願発明も、同様の理由により、刊行物１発明及び周知技術に基づいて、当業者が容易に発明をすることができたものである。
　
（３）むすび
　したがって、本願発明は、刊行物１発明及び周知技術に基いて当業者が容易に発明をすることができたものであるので、本願は、特許法第２９条第２項の規定により特許を受けることができない。
　よって、結論のとおり審決する。